(57)【要約】      （修正有）【課題】ノートパソコン本体とマウス・ＡＣアダプターなどの周辺機器を、常時、ケースに収納設置した状態で、保管監理・運搬・使用することと、極力、準備と片付けを簡素化する常時収納使用型ノートパソコンケースを提供する。【解決手段】常時収納使用型ノートパソコンケースは、常にノートパソコン本体とマウス・ＡＣアダプター及び各種通信ケーブルを接続した状態で収納設置し、かつ、各ユーザーが使用する周辺機器を一緒に収納管理できるケースであって、少なくとも、ケース内にマウスを使用できる台を設けており、ケースを開いてそのままマウスを使用できる。よって、マウスを使用するスペースの確保や、脱着の手間を必要とせず、ユーザーに快適な使用環境を提供できる。【選択図】図１
2005342493.tif 000002
【特許請求の範囲】
【請求項１】
ノートパソコンを収納するケースであって、常にノートパソコン本体とマウスを接続した状態で収納設置し、少なくともケース内にマウスを使用できる台を設けており、ケースを開いてそのままマウスを使用できることを特徴とする常時収納使用型ノートパソコンケース。
【請求項２】
ノートパソコンを収納するケースであって、ケース内部に、ノートパソコンの設置と各種周辺機器やアイテムを収納できるスペースを仕切る開閉可能な台を設けており、また、その台には幅広い機種・メーカーに対応すべく、取付け位置が調節可能なノートパソコン保持用冶具が設けられており、その冶具とケースの蓋を閉じる事によってノートパソコンを堅牢に保持し、かつ、各種周辺機器やアイテムを一緒に保管監理できることを特徴とする常時収納使用型ノートパソコンケース。
【請求項３】
請求項１及び請求項２に示す台は、ユーザーの使い勝手や幅広い機種・メーカーに対応すべく、台の高さを調整できることを特徴とする常時収納使用型ノートパソコンケース。
【請求項４】
ノートパソコンを収納するケースであって、ケース側面に電源端子と、ケース内部に電源端子に接続された汎用コンセントを設けており、ＡＣアダプターの両端をノートパソコン本体とコンセントに接続した状態で収納設置し、また、外部電源コンセントと電源端子を接続する電源ケーブルを一緒に収納できることを特徴とする常時収納使用型ノートパソコンケース。
【請求項５】
請求項４の常時収納使用型ノートパソコンケースにおいて、ケース内部に汎用コンセントを設けることで、請求項２及び請求項３で示す幅広い機種・メーカーに対応できることを特徴とする常時収納使用型ノートパソコンケース。
【請求項６】
請求項４の常時収納使用型ノートパソコンケースにおいて、ケース側面に、内部で電源端子に接続された外部電源供給コンセントを設けており、ノートパソコン以外の機器（携帯電話用ＡＣアダプターなど）へ電源供給ができことを特徴とする常時収納使用型ノートパソコンケース。
【請求項７】
ノートパソコンを収納するケースであって、ケースの同一側面に、使用者が必要に応じて任意に選択できる各種通信端子（ＬＡＮ、モデム、Ｄ−Ｓｕｂ、ＵＳＢ）が設けてあり、ケース内部でノートパソコンに接続できるように設けられていることを特徴とする常時収納使用型ノートパソコンケース。
【請求項８】
請求項７の常時収納使用型ノートパソコンケースにおいて、各通信端子の末端は、ノートパソコンをケースに収納設置する際にノートパソコンに接続するが、末端は規格で統一されているため、請求項２で示す幅広い機種・メーカーに対応できることを特徴とする常時収納使用型ノートパソコンケース。
【請求項９】
請求項２の収納スペースは書類であればＡ４サイズの大きさまで収納できるが、ケース蓋の上面部に収納を設けており、Ａ３サイズの書類や薄手の本など収納できることを特徴とする常時収納使用型ノートパソコンケース。
【発明の詳細な説明】
【技術分野】
【０００１】  この発明は、ノートパソコンを常時、ケースに収納設置した状態で、保管監理・運搬・使用することと、準備と片付け及び一連の作業動作を極力、簡素化する特徴をもつ常時収納使用型ノートパソコンケースに関する。
【背景技術】
【０００２】  ノートパソコンを普段使用することが多い環境の整った場所（会社や自宅など）も含め、普段とは異なった場所（屋外・電車・工場の中などの現地）で使用する場合の運搬、及び壊したり邪魔にならないように特定の場所に保管する場合、従来の収納ケースでは、パソコン本体を収納ケースから取出さないと使用できなかったり、パソコン本体・マウス・マウスパット・ＡＣアダプターなど、関連機器をバラバラに収納していたために、準備や片付け、その作業スペースや収納ケースの置場所確保などの時間が必要で何かとわずらわしいことが多い。又は、収納したままノートパソコンを使用しても、マウスが使用できなかったり、他の機器と通信できなかったり、バッテリーの無い時は、ＡＣアダプターを取出して接続するなど、作業を中断しての手間や使い勝手の悪さが生じる。
ノートパソコン最大のメリットである“コンパクトで持ち運びができる”という特徴が、使用環境（現場）を少しかえるだけで、最大のデメリットである“丁寧に扱わなければならない”ことを引き起こすため、“移動できるが使用するにはとても不便で監理が大変”という状況にしてしまう。
よって、ノートパソコンは使用環境が保護されている場所に設置され、デスクトップパソコンとは比較して設置場所を取らないだけのように使用されていることが多い。しかし、ＩＴ技術が定着し、ホテルやカフェでもＷｅｂを閲覧でき、会社の経費削減・各個人リラックスのなどのために、週に数日の在宅勤務や、社内共同スペースでの作業、ソーホー（ＳＯＨＯ）のように会社以外でも仕事をする人が多くなってきた。また、工場などの現地での装置デバッグのためや、営業にノートパソコンを使用することも多く、収納・運搬・準備・使用・片付け・管理の一連動作を簡素化したいニーズがある。
【発明の開示】
【発明が解決しようとする課題】
【０００３】  しかしながら、以上の技術によれば、ノートパソコンは持ち運びできるが移動先（現地）での使用はとても不便で監理が大変という状況が往々にしてあり、各ユーザーの使用環境を狭めている。そこで、この発明は、常時、ノートパソコンをケースに収納設置した状態で、保管監理・運搬・使用することと、準備と片付け及び一連の作業動作を極力、簡素化し、各ユーザーにスムーズな移動や現地での快適な作業を提供し、活動の幅を広げることを課題とする。
【課題を解決するための手段】
【０００４】  以上の課題を解決するために、第一発明は、常にノートパソコン本体とマウスを接続した状態で収納設置し、少なくともケース内にマウスを使用できる台を設けており、ケースを開いてそのままマウスを使用できることを特徴とする常時収納使用型ノートパソコンケースである。
また、第二発明は、ケース内部に、ノートパソコンの設置と各種周辺機器やアイテムを収納できるスペースを仕切る開閉可能な台を設けており、また、その台には幅広い機種・メーカーに対応すべく、取付け位置が調節可能なノートパソコン保持用冶具が設けられており、その冶具とケースの蓋を閉じる事によってノートパソコンを堅牢に保持し、かつ、各種周辺機器やアイテムを一緒に保管監理できることを特徴とする常時収納使用型ノートパソコンケースである。
また、第三発明は、ユーザーの使い勝手や幅広い機種・メーカーに対応すべく、第一発明と第二発明で示す台の高さを調整できることを特徴とする常時収納使用型ノートパソコンケースである。
また、第四発明は、ケース側面に電源端子と、ケース内部に電源端子に接続された汎用コンセントを設けており、ＡＣアダプターの両端をノートパソコン本体とコンセントに接続した状態で収納設置し、また、外部電源コンセントと電源端子を接続する電源ケーブルを一緒に収納できることを特徴とする常時収納使用型ノートパソコンケースである。
また、第五発明は、ケース内部に汎用コンセントを設けることで、専用ケースといった概念を脱し第二発明及び第三発明で示す幅広い機種・メーカーに対応できることを特徴とする常時収納使用型ノートパソコンケースである。
また、第六発明は、第四発明の常時収納使用型ノートパソコンケースにおいて、ケース側面に、内部で電源端子に接続された外部電源供給コンセントを設けており、ノートパソコン以外の機器（携帯電話用ＡＣアダプターや充電器など）へ電源供給ができことを特徴とする常時収納使用型ノートパソコンケース。よって、周辺機器の使い勝手や作業を向上させると特徴をもつ。
また、第七発明は、ケースの同一側面に、使用者が必要に応じて任意に選択できる各種通信端子（ＬＡＮ、モデム、Ｄ−Ｓｕｂ、ＵＳＢ）が設けてあり、ケース内部でノートパソコンに接続できるように設けられていることを特徴とする常時収納使用型ノートパソコンケース。
また、第八発明は、第七発明の常時収納使用型ノートパソコンケースにおいて、各通信端子の末端は、ノートパソコンをケースに収納設置する際にノートパソコンに接続するが、末端は規格で統一されているため、幅広い機種・メーカーに対応できることを特徴とする常時収納使用型ノートパソコンケース。
また、第九発明は、第二発明の常時収納使用型ノートパソコンケースにおいて、設置台下部の内部収納スペースは書類であればＡ４サイズの大きさまで収納できるが、ビジネスでは何かと不足するので、その収納能力の不足を補うものとしてケース蓋の上面部に収納を設けており、Ａ３サイズの書類や薄手の本など収納できることを特徴とする常時収納使用型ノートパソコンケース。
【発明の効果】
【０００５】      第一発明、第二発明、および第四発明により、ノートパソコン本体とマウスなど周辺機器、及び、各業種の作業に必要なアイテムを一括収納・設置すると、普段とは異なる使用環境が限られた場所（現地）への頻繁な移動・運搬、及び取り扱いを容易にし、かつ、ケースを置く場所を確保すれば、ケースを開いてそのままマウスを使用できるため、ケース外でマウスを使用する場所を確保することなく、準備と片付けを必要最低限にし、一連の動作をスムーズにできる。
また、ケースごと使用するので、以前のようにノートパソコンとは別にケースを置く場所を必要とせず、現地での頻繁な移動でも本ケースで一括管理できるため、目の行き届いた備品監理・忘れ物防止をできる。
第四発明、第六発明、および第七発明により、各ユーザーのニーズにあった端子をケースの同一側面に装備し、使用することで、ノートパソコンとはワンクッションおかれた、ケースと周辺機器との接続という環境ができるため、ノートパソコンの保護監理を容易にしつつ、外部機器との作業やＷｅｂなどとの通信・接続ができる。また、ノートパソコン未使用時や休憩時、または、ノートパソコンにとって環境の悪い場所での継続的な作業（データ計測など）ができるように、通信ケーブルを接続したままでもパソコンを保護収納できるため、限られた場所での使い勝手を向上させることができる。
第二発明、および第三発明により、収納設置するパソコンの大きさ形状に対応させ、第五発明、および第八発明により、ノートパソコンを購入した状態で改造することなく使用できるため、専用ケースといった概念を脱し幅広い機種・メーカーに対応できる常時収納使用型ノートパソコンケースである。
第九発明により、少量のＡ３サイズまでの書類・本・筆記用具アイテムなどであれば、常時収納使用型ノートパソコンケースとは別にカバンを持つ必要がなく、常時収納使用型ノートパソコンケースひとつで運搬管理・使用できるのでユーザーの負担を軽減できる。
よって、持ち運びできるが使用するにはとても不便で監理が大変という状況を打開でき、常時、ノートパソコンをケースに収納設置した状態で、保管監理・運搬・使用することと、準備と片付け及び一連の作業動作を極力、簡素化し、各ユーザーにスムーズな移動や現地での快適な作業を提供し、活動の幅を広げることができる。
【発明を実施するための最良の形態】
【０００６】  この発明の一実施形態を、図１に示す。
１は、常時、ノートパソコンをケースに収納設置した状態で、保管監理・運搬・使用するためのケース本体であり、Ａ３用紙を入れられる大きさのハードケースである。
２はひとつ目のケース上蓋で、内部に２４のクッション材を用いており、ケースを閉じた時ノートパソコンをシッカリと固定保護する。
３はふたつ目のケース上蓋であり、４のケース上蓋収納を保護する。
４は各種アイテムやＡ３サイズまでの書類を収納できる。
１と２及び３によってケースの厚みが決まるが、できるだけ薄くしたい場合は３と４がない構造のものでも良い。
６はマウス台固定クッションであり、ケースを閉じた時、１７のマウスと１９のマウス台をシッカリと下に押し付け固定保護するものである。
５はマウス収納スペースでありケースを閉じた時にそのまま固定収納するためのものである。また、マウスを使用しない時は直接収納することもできるので、マウスを使用しないユーザーもしかり、他の作業のためにスペースを使用することができる。この方式をとることによって常時マウスを接続したまま保管でき、準備や片付けを簡素化できる。
７は任意収納スペースであり、ユーザーが自由に切り抜き必要なアイテムを収納できるところである。また、図ではマウス収納スペースの下にあるが、位置を交換してユーザーの使い勝手に合わせることができる。
８はケース側面の電源端子であり、１０の電源ケーブル（ＡＣアダプターではない）を用いて電源をとるためのものである。電源ケーブルは、屋外環境に十分に対応できるものであり、マウス台の下にＡＣアダプターと一緒に収納する。
９は電源端子の蓋で、８・９・１０ともに一般規格の量販品である。
１６は内部で９の電源端子に接続されている外部電源供給用コンセントである。
１１はユーザーが任意に選択できる通信端子ユニット部である。ノートパソコンの通信端子をユーザーのニーズに応じて同一エリアに取替え可能なシステムで集約設置する。電源部及び通信部を同一側面に集めることと、側面で手が届くことで使い勝手を向上させる。実用例として、１２はＵＰＳ型周辺機器（メモリ・やＬＡＮ）、１３は携帯電話、１４は携帯電話用ＡＣアダプターである。また、同一側面に集めることで、マウスを使用するスペースができる。
１８はマウスパッドである。
１９のマウス台は軽量で強度的に十分な素材を使用するが、マウス台下に収納されるＡＣアダプターの放熱のために金属製のものが望ましい。
この図ではマウス台がケースの右側にあるが、左にあっても良い。各ユーザーの機種によるが、利便上、フロッピーディスクやＣＤ−ＲＯＭ類のユニットが装着されている側にあるのが望ましい。また、マウス台は取付け高さ（深さ）の調節ができ、ケースの淵より少し下の位置に持ってくることができる。よって、極力、凸凹のない作業スペースを作るとともに、マウスの落下防止が図れる。
１５は携帯用ベルト取付け部、２２は携帯用ベルト、２０はハンドル部、２１は施錠部である。
図２はノートパソコンを収納設置する前のマウス台とパソコン設置台を開けた斜視図である。
２５は設置台であり、ノートパソコンを設置する台であるとともに、２６の内部収納スペースを構成するものである。素材は軽量で頑丈な金属製のものが良い。設置台は収納スペースにものが出し入れできるように開閉動作が可能である。収納の大きさはＡ４サイズまで可能である。この場合構造では出し入れが少し不憫だが、普段は使用しないが時々必要になるアイテムを収納しておくと何かと便利である。また、そのアイテムを整理整頓して収納できるように、７で示したようにユーザーが自由に切り抜きできるスポンジ材を使用するとよりスマートな一括保管監理が図れる。
２７は仕切り板であり、マウス台下のＡＣアダプター収納スペースと２６の内部収納スペースを仕切るためのものである。
２８はＡＣアダプターである。１０の電源ケーブルも一緒に収納される。
３０はＤ−Ｓｕｂ、３１はＵＳＢ端子、３２、ＬＡＮ端子である。図では以上のような組み合わせだが、ユーザーのニーズに合わせて組換えが可能である。
２９は配線ケースである。１６の外部電源供給用コンセントの内部配線や各種通信端子の取付け及び保護をするためのものである。
図３は調節保持用冶具に関することを示す斜視図である。
３３はノートパソコン保持用冶具である。頑丈な材質で作られており、パソコンに接する面には擦り傷防止とクッション効果を図るためのクッションが取付けられている。また、幅広い機種・メーカーに対応すべく取付け位置を変更できるようビス止め穴が設けられている。固定方法はビス止めでなくても良い。また、ケースを閉じている時は、ケース上蓋内部のクッションと併用してノートパソコンを保持するので、必要に応じた数量をとりつけてれば良い。
３４は冶具取付け位置調整用穴であり、３３のノートパソコン保持用冶具をノートパソコンの大きさにあわせて固定するための穴である。
３５はノートパソコン設置台の高さ（深さ）調整機能を持った蝶番である。
３６は設置台高さ調整用穴であり、３７の蝶番取付け部にはめ込みねじ止め固定する。
固定方法はビス止めでなくても良い。
３８は配線用スペースである。ＡＣアダプターや各種通信ケーブルをノートパソコンに接続するために、設置台下から通すためのスペースである。図では切り抜き形状だが、ノートパソコンの端子位置や形状に応じて、位置や形状を変更したものでも良い。
３９は設置台及びマウス台下のケース内下部である。
図４は高さを調整部及び収納部を示す断面図である。
４０は設置台及びマウス台の受け金具であり、設置台とマウス台おのおのに設ける。
４１は止め金具である。
４２はケースを横にして置いた時用のゴム足であり、４３は、ケースを立てて置いた時用のゴム足である。
図５は電気的配線部及び電源ケーブル収納部を示す斜視図である。
４４は電源端子に接続された内部コンセントである。このコンセントを設けたことによって、幅広い機種・メーカーに対応でき、常時、ＡＣアダプターを収納設置できる。
ＡＣアダプターで直接外部電源コンセントから電源をとる場合は、接続部が多いので準備や片付けに手間がかかる。その他、ＡＣアダプターのケーブルは室外環境には弱いので取り扱いに注意を払わなければならない。よって、４４の内部コンセントと１０の屋外環境に耐えうる電源ケーブルを用いることによって、一連の動作を簡素化でき、気楽に使用することができる。
４５は通信ケーブル類をまとめたものである。
４６はマウス台高さ調整蝶番である。
４７はＡＣアダプター端末、４８はＵＳＢケーブル端末、４９はＬＡＮケーブル端末、５０はＤ−Ｓｕｂケーブル端末である。
５１は配線スペースまたは、設置台開閉操作に使用する。
図６は各種電源・通信端子の詳細を示す側面図である。
５２はケース本体蝶番部、５３はケース上蓋部蝶番、５４はケース上蓋施錠部である。
各通信端子の末端を、ビス止めや引っ掛け機能により脱着できるよにした１１の通信端子ユニットを設けることで、ユーザーのニーズに対応した環境を作ることができる。【０００７】「実施形態の効果」
この実施形態によれば、常時、ノートパソコンをケースに収納設置した状態で、保管監理・運搬・使用することと、準備と片付け及び一連の作業動作を極力、簡素化し、各ユーザーにスムーズな移動や現地での快適な作業を提供し、活動の幅を広げることができる。
ノートパソコンの上には気軽に物を載せられないが、ケースを閉じれば、スペースが限られた場所でも、ケース上部が仮デスクとなり、気軽にものが載せることができる。また、ノートパソコンがすぐ使える状態でありながら、他の作業することができる。よって、効率的な作業と、効果的にスペースを利用することができる。なにより、ノートパソコンの取り扱いが気楽・手軽になる。
ケースに収納しただけだが特殊専用装置をもった気分になれる。また、量販ケースと同じ規格の大きさなので、他のケースとの保管監理が容易となる。【０００８】「他の実施形態」
図１の実施形態では、ケース上蓋収納はＡ３サイズの書類や薄手の本など収納できるとしているが、ケースの厚みをできるだけ薄くしたい場合や軽量を図るため、ケース上蓋収納がない構造のものでも良い。
通信端子ユニットは、同じ通信端子が複数ある場合は、通信線を切替できるスイッチを設けたのものでも良い。また、必要に応じて、ケーブルのストレートとクロス配線を切替られるスイッチを設けたのものでも良い。
【図面の簡単な説明】
【０００９】
【図１】この発明の一実施形態を示す斜視図である。
【図２】マウス台とパソコン設置台を開けた斜視図である。
【図３】調節保持用冶具に関することを示す斜視図である。
【図４】高さを調整部及び収納部を示す断面図である。
【図５】電気的配線部及び電源ケーブル収納部を示す斜視図である。
【図６】各種電源・通信端子の詳細を示す側面図である。
【符号の説明】
【００１０】１  ケース本体  ２  ケース上蓋１  ３  ケース上蓋２  ４  ケース上蓋収納
５  マウス収納スペース  ６  マウス台固定クッション  ７  任意収納スペース
８  電源端子  ９  電源端子用蓋  １０  電源ケーブル
１１  通信端子ユニット  １２  ＵＰＳ型周辺機器  １３  携帯電話
１４  携帯電話用ＡＣアダプター
１５  携帯用ベルト取付け部  １６  外部電源供給用コンセント  １７  マウス
１８  マウスパッド  １９  マウス台  ２０  ハンドル部  ２１  施錠部
２２  携帯用ベルト  ２３  ノートパソコン本体  ２４  クッション材
２５  設置台  ２６  内部収納スペース  ２７  仕切り板
２８  ＡＣアダプター  ２９  配線ケース  ３０  Ｄ−Ｓｕｂ
３１  ＵＳＢ端子  ３２  ＬＡＮ端子  ３３  ノートパソコン保持用冶具
３４  冶具取付け位置調整用穴  ３５  設置台高さ調整蝶番
３６  設置台高さ調整用穴  ３７  蝶番取付け部  ３８  配線用スペース
３９  ケース内下部  ４０  台受け  ４１  止め金具  ４２  ケース足１
４３  ケース足２  ４４  内部コンセント  ４５  通信ケーブル類
４６  マウス台高さ調整蝶番  ４７  ＡＣアダプター端末
４８  ＵＳＢケーブル端末  ４９  ＬＡＮケーブル端末
５０  Ｄ−Ｓｕｂケーブル端末  ５１  配線スペース  ５２  ケース本体蝶番部
５３  ケース上蓋部蝶番  ５４  ケース上蓋施錠部
【図１】
2005342493.tif 000003
【図２】
2005342493.tif 000004
【図３】
2005342493.tif 000005
【図４】
2005342493.tif 000006
【図５】
2005342493.tif 000007
【図６】
2005342493.tif 000008
【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
ノートパソコンを収納するケースであって、ケース内部に放熱性の良い金属製の板で、マウス操作台（マウス台）兼ACアダプターや通信配線の収納スペースを構成しており、ACアダプターを収納しつつACアダプターの熱を放熱することと、収納スペースの面積をマウス操作に利用することでケース内でのマウスの使用を可能にする構造を有し、ACアダプター収納場所とマウス操作台を別々に設ける必要がない為、ケース面積と厚みを必要以上に大きくすることなく、ノートパソコン本体とマウス及びACアダプターを接続した状態で収納し、ケース上蓋内部のクッションとマウス台固定クッションにより、ケースを閉じてノートパソコン本体とマウス及びマウス操作台を下に押し付け固定保護する構成を特徴とする常時収納使用型ノートパソコンケース。
【請求項２】
請求項１記載のマウス操作台兼収納スペースによって、配線スペースが確保できるため、収納スペース側（マウス操作台側）のケース側面に、電源端子や各種通信端子を集約して設けており、電源端子や通信端子にケーブルを接続する際の使い勝手を向上できることを特徴とする請求項１記載の常時収納使用型ノートパソコンケース。
【請求項３】
請求項１記載のマウス操作台兼収納スペースによって、配線スペースが確保できるため、ケースの面積や厚みを増すことなく、収納スペース側（マウス操作台側）のケース側面に、電源端子と前記電源端子に接続された外部電源供給用コンセント、及び収納スペースに汎用コンセントを設けており、ノートパソコンとそれ以外の機器へ電源供給ができることを特徴とする請求項１記載の常時収納使用型ノートパソコンケース。
【請求項４】
請求項１記載のマウス操作台兼収納スペースによって、配線スペースが確保できるため、ケースの面積や厚みを増すことなく、収納スペース側（マウス操作台側）のケース側面に、ノートパソコンに接続する各種通信端子を、集約して設けることを特徴とする請求項１記載の常時収納使用型ノートパソコンケース。
【手続補正２】
【補正対象書類名】明細書
【補正対象項目名】０００４
【補正方法】変更
【補正の内容】
【０００４】
以上の課題を解決するために、第一に、ケース内部に放熱性の良い金属製の板で、マウス操作台（マウス台）兼ACアダプターや通信配線の収納スペースを構成しており、ACアダプターを収納しつつACアダプターの熱を放熱することと、収納スペースの面積をマウス操作に利用することでケース内でのマウスの使用を可能にする構造を有し、ACアダプター収納場所とマウス操作台を別々に設ける必要がない為、ケース面積と厚みを必要以上に大きくすることなく、ノートパソコン本体とマウス及びACアダプターを接続した状態で収納し、ケース上蓋内部のクッションとマウス台固定クッションにより、ケースを閉じてノートパソコン本体とマウス及びマウス操作台を下に押し付け固定保護する構造を有する為、使用時には、ケースを開いてそのままノートパソコンとマウスを使用できることを特徴とする常時収納使用型ノートパソコンケース。
第二に、ケース内部に、ノートパソコンの設置と各種周辺機器やアイテムを収納できるスペースを仕切る開閉可能な設置台を設けており、また、その設置台には幅広い機種・メーカーに対応すべく、取付け位置が調節可能なノートパソコン保持用冶具が設けられており、その冶具とケースの蓋を閉じる事によってノートパソコンを堅牢に保持し、かつ、各種周辺機器やアイテムを一緒に保管監理できることを特徴とする常時収納使用型ノートパソコンケースである。
第三に、ユーザーの使い勝手や幅広い機種・メーカーに対応すべく、第一で示すマウス操作台と第二で示す設置台の高さを調整できることを特徴とする常時収納使用型ノートパソコンケースである。
第四に、ケース側面に電源端子と、ケース内部に電源端子に接続された汎用コンセントを設けており、ＡＣアダプターの両端をノートパソコン本体とコンセントに接続した状態で収納設置し、また、外部電源コンセントと電源端子を接続する電源ケーブルを一緒に収納できることを特徴とする常時収納使用型ノートパソコンケースである。
第五に、ケース内部に汎用コンセントを設けることで、専用ケースといった概念を脱し幅広い機種・メーカーに対応できることを特徴とする常時収納使用型ノートパソコンケースである。
第六に、ケース側面に、内部で電源端子に接続された外部電源供給用コンセントを設けており、ノートパソコン以外の機器（携帯電話用ＡＣアダプターや充電器など）へ電源供給ができることを特徴とする常時収納使用型ノートパソコンケース。よって、周辺機器の使い勝手や作業を向上させる特徴をもつ。
第七に、ケースの同一側面に、使用者が必要に応じて任意に選択できる各種通信端子（ＬＡＮ、モデム、Ｄ−Ｓｕｂ、ＵＳＢなど）が設けてあり、ケース内部でノートパソコンに接続できるように設けられていることを特徴とする常時収納使用型ノートパソコンケース。
第八に、第二の設置台下部の内部収納スペースは書類であればＡ４サイズの大きさまで収納できるが、ビジネスでは何かと不足するので、その収納能力の不足を補うものとしてケース蓋の上面部に収納を設けており、Ａ３サイズの書類や薄手の本など収納できることを特徴とする常時収納使用型ノートパソコンケース。
【手続補正３】
【補正対象書類名】明細書
【補正対象項目名】０００５
【補正方法】変更
【補正の内容】
【０００５】
第一、第二、および第四により、ノートパソコン本体とマウスなど周辺機器、及び、各業種の作業に必要なアイテムを一括収納・設置すると、普段とは異なる使用環境が限られた場所（現地）への頻繁な移動・運搬、及び取り扱いを容易にし、かつ、ケースを置く場所を確保すれば、ケースを開いてそのままマウスを使用できるため、ケース外でマウスを使用する場所を確保することなく、準備と片付けを必要最低限にし、一連の動作をスムーズにできる。
また、ケースごと使用するので、以前のようにノートパソコンとは別にケースを置く場所を必要とせず、現地での頻繁な移動でも本ケースで一括管理できるため、目の行き届いた備品監理・忘れ物防止をできる。
第四、第六、および第七により、各ユーザーのニーズにあった端子をケースの同一側面に装備し、使用することで、ノートパソコンとはワンクッションおかれた、ケースと周辺機器との接続という環境ができるため、ノートパソコンの保護監理を容易にしつつ、外部機器との作業やＷｅｂなどとの通信・接続ができる。また、ノートパソコン未使用時や休憩時、または、ノートパソコンにとって環境の悪い場所での継続的な作業（データ計測など）ができるように、通信ケーブルを接続したままでもパソコンを保護収納できるため、限られた場所での使い勝手を向上させることができる。
第二、および第三により、収納設置するパソコンの大きさ形状に対応させ、第五により、ノートパソコンを購入した状態で改造することなく使用できるため、専用ケースといった概念を脱し幅広い機種・メーカーに対応できる常時収納使用型ノートパソコンケースである。
第八により、少量のＡ３サイズまでの書類・本・筆記用具アイテムなどであれば、常時収納使用型ノートパソコンケースとは別にカバンを持つ必要がなく、常時収納使用型ノートパソコンケースひとつで運搬管理・使用できるのでユーザーの負担を軽減できる。
よって、持ち運びできるが使用するにはとても不便で監理が大変という状況を打開でき、常時、ノートパソコンをケースに収納設置した状態で、保管監理・運搬・使用することと、準備と片付け及び一連の作業動作を極力、簡素化し、各ユーザーにスムーズな移動や現地での快適な作業を提供し、活動の幅を広げることができる。
【手続補正４】
【補正対象書類名】明細書
【補正対象項目名】０００６
【補正方法】変更
【補正の内容】
【０００６】
この発明の一実施形態を、図１に示す。
１は、常時、ノートパソコンをケースに収納設置した状態で、保管監理・運搬・使用するためのケース本体であり、Ａ３用紙を入れられる大きさのハードケースである。
２はひとつ目のケース上蓋で、内部に２４のクッション材を用いており、ケースを閉じた時ノートパソコンをシッカリと固定保護する。
３はふたつ目のケース上蓋であり、４のケース上蓋収納を保護する。
４は各種アイテムやＡ３サイズまでの書類を収納できる。
１と２及び３によってケースの厚みが決まるが、できるだけ薄くしたい場合は３と４がない構造のものでも良い。
６はマウス台固定クッションであり、ケースを閉じた時、１７のマウスと１９のマウス台をシッカリと下に押し付け固定保護するものである。
５はマウス収納スペースでありケースを閉じた時にそのまま固定収納するためのものである。また、マウスを使用しない時は直接収納することもできるので、マウスを使用しないユーザーもしかり、他の作業のためにスペースを使用することができる。この方式をとることによって常時マウスを接続したまま保管でき、準備や片付けを簡素化できる。
７は任意収納スペースであり、ユーザーが自由に切り抜き必要なアイテムを収納できるところである。また、図ではマウス収納スペースの下にあるが、位置を交換してユーザーの使い勝手に合わせることができる。
８はケース側面の電源端子であり、１０の電源ケーブル（ＡＣアダプターではない）を用いて電源をとるためのものである。電源ケーブルは、屋外環境に十分に対応できるものであり、マウス台の下にＡＣアダプターと一緒に収納する。
９は電源端子の蓋で、８・９・１０ともに一般規格の量販品である。
１６は内部で９の電源端子に接続されている外部電源供給用コンセントである。
１１はユーザーが任意に選択できる通信端子ユニット部である。ノートパソコンの通信端子をユーザーのニーズに応じて同一エリアに取替え可能なシステムで集約設置する。電源部及び通信部を同一側面に集めることと、側面で手が届くことで使い勝手を向上させる。実用例として、１２はＵＳＢ型周辺機器（メモリ・ＬＡＮ）、１３は携帯電話、１４は携帯電話用ＡＣアダプターである。また、同一側面に集めることで、マウスを使用するスペースができる。
１８はマウスパッドである。
１９のマウス台は軽量で強度的に十分な素材を使用するが、マウス台下に収納されるＡＣアダプターの放熱のために金属製のものが望ましい。
この図ではマウス台がケースの右側にあるが、左にあっても良い。各ユーザーの機種によるが、利便上、フレキシブルディスクやＣＤ−ＲＯＭ類のユニットが装着されている側にあるのが望ましい。また、マウス台は取付け高さ（深さ）の調節ができ、ケースの淵より少し下の位置に持ってくることができる。よって、極力、凸凹のない作業スペースを作るとともに、マウスの落下防止が図れる。
１５は携帯用ベルト取付け部、２２は携帯用ベルト、２０はハンドル部、２１は施錠部である。
図２はノートパソコンを収納設置する前のマウス台と設置台を開けた斜視図である。
２５は設置台であり、ノートパソコンを設置する台であるとともに、２６の内部収納スペースを構成するものである。素材は軽量で頑丈な金属製のものが良い。設置台は収納スペースにものが出し入れできるように開閉動作が可能である。収納の大きさはＡ４サイズまで可能である。この場合の構造では出し入れが少し不憫だが、普段は使用しないが時々必要になるアイテムを収納しておくと何かと便利である。また、そのアイテムを整理整頓して収納できるように、７で示したようにユーザーが自由に切り抜きできるスポンジ材を使用するとよりスマートな一括保管監理が図れる。
２７は仕切り板であり、マウス台下のＡＣアダプター収納スペースと２６の内部収納スペースを仕切るためのものである。
２８はＡＣアダプターである。１０の電源ケーブルも一緒に収納される。
３０はＤ−Ｓｕｂ、３１はＵＳＢ端子、３２、ＬＡＮ端子である。図では以上のような組み合わせだが、ユーザーのニーズに合わせて組換えが可能である。
２９は配線ケースである。１６の外部電源供給用コンセントの内部配線や各種通信端子の取付け及び保護をするためのものである。
図３は調節保持用冶具に関することを示す斜視図である。
３３はノートパソコン保持用冶具である。頑丈な材質で作られており、パソコンに接する面には擦り傷防止とクッション効果を図るためのクッションが取付けられている。また、幅広い機種・メーカーに対応すべく取付け位置を変更できるようビス止め穴が設けられている。固定方法はビス止めでなくても良い。また、ケースを閉じている時は、ケース上蓋内部のクッションと併用してノートパソコンを保持するので、必要に応じた数量をとりつけてれば良い。
３４は冶具取付け位置調整用穴であり、３３のノートパソコン保持用冶具をノートパソコンの大きさにあわせて固定するための穴である。
３５はノートパソコン設置台の高さ（深さ）調整機能を持った蝶番である。
３６は設置台高さ調整用穴であり、３７の蝶番取付け部にはめ込みねじ止め固定する。
固定方法はビス止めでなくても良い。
３８は配線用スペースである。ＡＣアダプターや各種通信ケーブルをノートパソコンに接続するために、設置台下から通すためのスペースである。図では切り抜き形状だが、ノートパソコンの端子位置や形状に応じて、位置や形状を変更したものでも良い。
３９は設置台及びマウス台下のケース内下部である。
図４は高さ調整部及び収納部を示す断面図である。
４０は設置台及びマウス台の受け金具であり、設置台とマウス台おのおのに設ける。
４１は止め金具である。
４２はケースを横にして置いた時用のゴム足であり、４３は、ケースを立てて置いた時用のゴム足である。
図５は電気的配線部及び電源ケーブル収納部を示す斜視図である。
４４は電源端子に接続された内部コンセントである。このコンセントを設けたことによって、幅広い機種・メーカーに対応でき、常時、ＡＣアダプターを収納設置できる。
ＡＣアダプターで直接外部電源コンセントから電源をとる場合は、接続部が多いので準備や片付けに手間がかかる。その他、ＡＣアダプターのケーブルは室外環境には弱いので取り扱いに注意を払わなければならない。よって、４４の内部コンセントと１０の屋外環境に耐えうる電源ケーブルを用いることによって、一連の動作を簡素化でき、気楽に使用することができる。
４５は通信ケーブル類をまとめたものである。
４６はマウス台高さ調整蝶番である。
４７はＡＣアダプター端末、４８はＵＳＢケーブル端末、４９はＬＡＮケーブル端末、５０はＤ−Ｓｕｂケーブル端末である。
５１は配線スペースまたは、設置台開閉操作に使用する。
図６は各種電源・通信端子の詳細を示す側面図である。
５２はケース本体蝶番部、５３はケース上蓋部蝶番、５４はケース上蓋施錠部である。
各通信端子の末端を、ビス止めや引っ掛け機能により脱着できるよにした１１の通信端子ユニットを設けることで、ユーザーのニーズに対応した環境を作ることができる。
【手続補正５】
【補正対象書類名】明細書
【補正対象項目名】０００７
【補正方法】変更
【補正の内容】
【０００７】
「実施形態の効果」
この実施形態によれば、常時、ノートパソコンをケースに収納設置した状態で、保管監理・運搬・使用することと、準備と片付け及び一連の作業動作を極力、簡素化し、各ユーザーにスムーズな移動や現地での快適な作業を提供し、活動の幅を広げることができる。
ノートパソコンの上には気軽に物を載せられないが、ケースを閉じれば、スペースが限られた場所でも、ケース上部が仮デスクとなり、気軽にものを載せることができる。また、ノートパソコンがすぐ使える状態でありながら、他の作業をすることができる。よって、効率的な作業と、効果的にスペースを利用することができる。なにより、ノートパソコンの取り扱いが気楽・手軽になる。
ケースに収納しただけだが特殊専用装置をもった気分になれる。また、量販ケースと同じ規格の大きさなので、他のケースとの保管監理が容易となる。
【手続補正６】
【補正対象書類名】明細書
【補正対象項目名】０００９
【補正方法】変更
【補正の内容】
【０００９】
【図１】この発明の一実施形態を示す斜視図である。
【図２】マウス台と設置台を開けた斜視図である。
【図３】調節保持用冶具に関することを示す斜視図である。
【図４】高さ調整部及び収納部を示す断面図である。
【図５】電気的配線部及び電源ケーブル収納部を示す斜視図である。
【図６】各種電源・通信端子の詳細を示す側面図である。
【手続補正７】
【補正対象書類名】明細書
【補正対象項目名】００１０
【補正方法】変更
【補正の内容】
【００１０】
１  ケース本体  ２  ケース上蓋１  ３  ケース上蓋２  ４  ケース上蓋収納
５  マウス収納スペース  ６  マウス台固定クッション  ７  任意収納スペース
８  電源端子  ９  電源端子用蓋  １０  電源ケーブル
１１  通信端子ユニット  １２  ＵＳＢ型周辺機器  １３  携帯電話  
１４  携帯電話用ＡＣアダプター
１５  携帯用ベルト取付け部  １６  外部電源供給用コンセント  １７  マウス
１８  マウスパッド  １９  マウス（操作）台  ２０  ハンドル部  ２１  施錠部
２２  携帯用ベルト  ２３  ノートパソコン本体  ２４  クッション材
２５  設置台  ２６  内部収納スペース  ２７  仕切り板
２８  ＡＣアダプター  ２９  配線ケース  ３０  Ｄ−Ｓｕｂ
３１  ＵＳＢ端子  ３２  ＬＡＮ端子  ３３  ノートパソコン保持用冶具
３４  冶具取付け位置調整用穴  ３５  設置台高さ調整蝶番
３６  設置台高さ調整用穴  ３７  蝶番取付け部  ３８  配線用スペース
３９  ケース内下部  ４０  台受け  ４１  止め金具  ４２  ケース足１
４３  ケース足２  ４４  内部コンセント  ４５  通信ケーブル類
４６  マウス台高さ調整蝶番  ４７  ＡＣアダプター端末
４８  ＵＳＢケーブル端末  ４９  ＬＡＮケーブル端末
５０  Ｄ−Ｓｕｂケーブル端末  ５１  配線スペース  ５２  ケース本体蝶番部
５３  ケース上蓋部蝶番  ５４  ケース上蓋施錠部